(57)【特許請求の範囲】
【請求項１】
発光素子と発光素子を駆動する駆動手段と、蓄電可能な第１及び第２蓄電素子と、駆動手段及び各蓄電素子に電力を供給可能な電池電源と、電池電源から電力が供給され駆動手段を制御する制御部とを備えた発光素子駆動装置において、駆動手段は、直列に接続された各蓄電素子と発光素子とを電池電源に対してそれぞれ並列接続させ、電池電源から供給される電力を各蓄電素子に蓄電させる蓄電状態と、電池電源と第１蓄電素子と発光素子とを直列接続させ、第１蓄電素子が蓄電した電力を発光素子に供給させる一方、第２蓄電素子が蓄電した電力を制御部に供給させる放電状態とに、切り替え可能に構成されることを特徴とする発光素子駆動装置。
【請求項２】
発光素子と発光素子を駆動する駆動手段と、蓄電可能な第１及び第２蓄電素子と、駆動手段及び各蓄電素子に電力を供給可能な電池電源とを備える発光素子駆動装置において、駆動手段は、直列に接続された各蓄電素子と発光素子とを電池電源に対してそれぞれ並列接続させ、電池電源から供給される電力を各蓄電素子に蓄電させる蓄電状態と、電池電源と第１蓄電素子と発光素子とを直列接続させ、第１蓄電素子が蓄電した電力を発光素子に供給させる第１放電状態と、電池電源と第２蓄電素子と発光素子とを直列接続させ、第２蓄電素子が蓄電した電力を発光素子に供給させる第２放電状態とに、切り替え可能に構成されることを特徴とする発光素子駆動装置。
【請求項３】
請求項１又は請求項２に記載の発光素子駆動装置を備えることを特徴とする携帯機器。
【請求項４】
請求項２に記載の発光素子駆動装置と、光を集光する光学系と、光学系で集光した光を受光する撮像素子とを備え、光学系は、オートフォーカス機構を備え、駆動手段は、オートフォーカス用の補助光として発光素子を発光させるべく、第１放電状態に切り替える一方、撮像用のフラッシュ光として発光素子を発光させるべく、第２放電状態に切り替えることを特徴とする携帯機器。
【発明の詳細な説明】
【技術分野】
【０００１】
本発明は、発光素子と、発光素子を駆動する駆動手段と、蓄電可能な蓄電素子と、駆動手段及び蓄電素子に電力を供給可能な電池電源とを備える発光素子駆動装置に関し、また、その発光素子駆動装置を備える携帯機器に関する。
【背景技術】
【０００２】
従来、図９に示すように、発光素子駆動装置１として、発光素子２と、発光素子２を駆動する駆動手段３と、蓄電可能な第１及び第２蓄電素子４，５と、駆動手段３及び各蓄電素子４，５に電力を供給可能な電池電源６とを備える発光素子駆動装置１が知られている。また、発光素子駆動装置１は、撮像可能なカメラ部７と、装置全体を制御する制御部８と、電池電源６から供給される電力を昇圧する昇圧部９と、直列接続された各蓄電素子４，５を均等に蓄電させるバランス抵抗１０，１０とを備えている。
【０００３】
そして、発光素子駆動装置１においては、駆動手段３は、インバータ（ＮＯＴゲート）１１と第１及び第２スイッチ部（ＣＭＯＳ）１２，１３とを備えることで、各蓄電素子４，５が電池電源６から供給される電力を蓄電する状態（以下「蓄電状態」ともいう）と、各蓄電素子４，５が蓄電した電力を発光素子２に供給する状態（以下「放電状態」ともいう）とに切り替え可能に構成されている（例えば、特許文献１）。以下に、蓄電状態と放電状態とをそれぞれ説明する。
【０００４】
まず、蓄電状態においては、制御部８がＬ信号を出力すると、インバータ１１の入力にＬ信号が印加されることで、第１ＣＭＯＳ１２のゲートの入力にＨ信号が印加されるため、第１ＣＭＯＳ１２がＯＮ（閉）となる一方、第２ＣＭＯＳ１３のゲートの入力にＬ信号が印加されるため、第２ＣＭＯＳ１３がＯＦＦ（開）となる。これにより、電池電源６から、第１ＣＭＯＳ１２、昇圧部９及び各蓄電素子４，５の閉ループに電流ｉ１が流れるため、各蓄電素子４，５が電池電源６から供給される電力を蓄電する。
【０００５】
また、放電状態においては、回路を動作させるために制御部８がＨ信号を出力すると、インバータ１１の入力にＨ信号が印加されることで、第１ＣＭＯＳ１２のゲートの入力にＬ信号が印加されるため、第１ＣＭＯＳ１２がＯＦＦ（開）となる一方、第２ＣＭＯＳ１３のゲートの入力にＨ信号が印加されるため、第２ＣＭＯＳ１３がＯＮ（閉）となる。これにより、各蓄電素子４，５、発光素子２及び第２ＣＭＯＳ１３の閉ループに電流ｉ２が流れるため、各蓄電素子４，５が電力を発光素子２に供給することで、発光素子２が発光する。
【先行技術文献】
【特許文献】
【０００６】
【特許文献１】特開２００７−１０８５４５号公報
【発明の概要】
【発明が解決しようとする課題】
【０００７】
ところで、図９に示す発光素子駆動装置１においては、例えば、電池電源６の供給できる電力の電圧値が３．６Ｖであり、各蓄電素子４，５の供給できる電力の電圧値が２．５Ｖであるのに対して、発光素子２を発光させるための電力の電圧値がそれらの電圧値よりも高い４．０Ｖを必要とするため、昇圧部９が配置されていたり、蓄電素子４，５が直列に二つ接続されていたりしている。
【０００８】
具体的には、蓄電状態において、電池電源６から供給する電圧値３．６Ｖの電力を、昇圧部９が電圧値５．０Ｖまで昇圧することで、二つの蓄電素子４，５が加算電圧値５．０Ｖになるまで電力を蓄電でき、そして、放電状態において、二つの蓄電素子４，５から加算電圧値５．０Ｖの電力を放電することで、電池電源６や一つの蓄電素子４（５）の供給できる電圧値よりも高い電圧値の電力を発光素子２に供給できるため、発光素子２を発光させることができる。
【０００９】
しかしながら、発光素子２を発光させた後に再び発光させるには、放電した二つの蓄電素子４，５を再び蓄電する必要がある。したがって、短い間隔で（連続的に）発光させたい場合、即ち、短い間隔で（連続的に）撮像したい場合に、各蓄電素子４，５の蓄電が間に合わず、所望のタイミングで撮像できないといった問題を生じさせている。
【００１０】
よって、本発明は、斯かる事情に鑑み、発光素子を発光できない時間を短縮することができる発光素子駆動装置及び携帯機器を提供することを課題とする。
【課題を解決するための手段】
【００１１】
本発明に係る発光素子駆動装置は、発光素子と発光素子を駆動する駆動手段と、蓄電可能な第１及び第２蓄電素子と、駆動手段及び各蓄電素子に電力を供給可能な電池電源と、電池電源から電力が供給され駆動手段を制御する制御部とを備えた発光素子駆動装置において、駆動手段は、直列に接続された各蓄電素子と発光素子とを電池電源に対してそれぞれ並列接続させ、電池電源から供給される電力を各蓄電素子に蓄電させる蓄電状態と、電池電源と第１蓄電素子と発光素子とを直列接続させ、第１蓄電素子が蓄電した電力を発光素子に供給させる一方、第２蓄電素子が蓄電した電力を制御部に供給させる放電状態とに、切り替え可能に構成されることを特徴とする。
【００１２】
本発明に係る発光素子駆動装置によれば、第１蓄電素子が蓄電した電力を発光素子に供給する放電状態では、駆動手段が電池電源と第１蓄電素子と発光素子とを直列接続させる。これにより、電池電源と第１蓄電素子との発光素子に供給できる電力の加算電圧値が発光素子を発光させるための電圧値よりも大きくなるように設定することで、一つの蓄電素子の放電により発光素子を発光させることができるため、発光素子を再び発光させるには、一つの蓄電素子を蓄電すればよい。
【００１３】
しかも、放電状態において、駆動手段は、第２蓄電素子が蓄電した電力を制御部に供給させる。これにより、第２蓄電素子が制御部のバックアップ電源として機能するため、電池電源が放電状態の際に不測のトラブル（例えば瞬時の電圧低下）を発生させたとしても、制御部が安定して駆動手段等を制御できる。
【００１４】
また、本発明に係る発光素子駆動装置は、発光素子と発光素子を駆動する駆動手段と、蓄電可能な第１及び第２蓄電素子と、駆動手段及び各蓄電素子に電力を供給可能な電池電源とを備える発光素子駆動装置において、駆動手段は、直列に接続された各蓄電素子と発光素子とを電池電源に対してそれぞれ並列接続させ、電池電源から供給される電力を各蓄電素子に蓄電させる蓄電状態と、電池電源と第１蓄電素子と発光素子とを直列接続させ、第１蓄電素子が蓄電した電力を発光素子に供給させる第１放電状態と、電池電源と第２蓄電素子と発光素子とを直列接続させ、第２蓄電素子が蓄電した電力を発光素子に供給させる第２放電状態とに、切り替え可能に構成されることを特徴とする。
【００１５】
本発明に係る発光素子駆動装置によれば、第１蓄電素子に蓄電されていた電力を発光素子に供給する第１放電状態では、駆動手段が電池電源と第１蓄電素子と発光素子とを直列接続させる。これにより、電池電源と第１蓄電素子との発光素子に供給できる電力の加算電圧値が発光素子を発光させるための電圧値よりも大きくなるように設定することで、一つの蓄電素子の放電により、発光素子を発光させることができる。
【００１６】
しかも、駆動手段は、電池電源と第２蓄電素子と発光素子とを直列接続させることで、第１放電状態の際に電池電源から開放されていた第２蓄電素子に蓄電されていた電力を、発光素子に供給させることができる。これにより、各蓄電素子を蓄電させることで、発光素子を二度連続的に発光させることができる。
【００１７】
また、本発明に係る携帯機器は、前記の発光素子駆動装置を備えることを特徴とする。
【００１８】
また、本発明に係る携帯機器は、前記の発光素子駆動装置と、光を集光する光学系と、光学系で集光した光を受光する撮像素子とを備え、光学系は、オートフォーカス機構を備え、駆動手段は、オートフォーカス用の補助光として発光素子を発光させるべく、第１放電状態に切り替える一方、撮像用のフラッシュ光として発光素子を発光させるべく、第２放電状態に切り替えることを特徴とする。
【００１９】
本発明に係る携帯機器によれば、駆動手段が第１放電状態に切り替えることで、オートフォーカス用の補助光として発光素子を発光させることができる。その後、特に第１蓄電素子を蓄電することなく、駆動手段が第２放電状態に切り替えることで、撮像用のフラッシュ光として発光素子を発光させることができる。
【００２０】
これにより、従来の携帯機器においては、二つの蓄電素子が放電することで、オートフォーカスの補助光として発光素子を発光させた後、二つの蓄電素子を再度蓄電させてから放電することで、撮像用のフラッシュ光として発光素子を発光させる必要があったのに対して、本発明に係る携帯機器によれば、オートフォーカスから撮像まで連続的な操作とすることができる。
【発明の効果】
【００２１】
以上の如く、本発明に係る発光素子駆動装置及び携帯機器によれば、発光素子を発光できない時間を短縮することができるという優れた効果を奏する。
【図面の簡単な説明】
【００２２】
【図１】本発明の一実施形態に係る携帯機器の全体図であって、（ａ）は斜視図、（ｂ）は異なる方向からの斜視図
【図２】同実施形態に係る携帯機器の発光素子駆動装置における回路図
【図３】同実施形態に係る発光素子駆動装置の蓄電状態を示す回路図
【図４】同実施形態に係る発光素子駆動装置の放電状態を示す回路図
【図５】本発明の他の実施形態に係る発光素子駆動装置における回路図
【図６】同実施形態に係る発光素子駆動装置の蓄電状態を示す回路図
【図７】同実施形態に係る発光素子駆動装置の第１放電状態を示す回路図
【図８】同実施形態に係る発光素子駆動装置の第２放電状態を示す回路図
【図９】従来における発光素子駆動装置における回路図
【発明を実施するための形態】
【００２３】
以下、本発明に係る発光素子駆動装置及び携帯機器における第１の実施形態について、図１〜図４を参酌して説明する。なお、図１〜図４において、図９の符号と同一の符号を付した部分は、特に説明がない限り、従来技術と同一の構成又は要素を表す。
【００２４】
図１及び図２に示すように、本実施形態に係る携帯機器１４は、発光素子駆動装置１を備えることで、ＬＥＤフラッシュ機能とデジタルカメラ機能とを搭載した携帯電話機である。また、携帯機器（以下「携帯電話機」ともいう）１４は、第１本体１５と、第１本体１５とヒンジ機構１６を介して折り畳み自在である第２本体１７とを備える。
【００２５】
第１本体１５には、携帯電話機１４を折り畳んだ際の内面側に、数字キーなどによって構成されて携帯電話機１４の操作の入力を行う操作キー部１８と、送話音声を入力するマイク１９とが設けられている。また、第１本体１５には、携帯電話機１４を折り畳んだ際の外面側に、着信状態などを通知するサウンダ２０が設けられている。
【００２６】
第２本体１７には、携帯電話機１４を折り畳んだ際の内面側に、受話音声を出力するスピーカ２１と、文字や画像を表示する第１ディスプレイ２２とが設けられている。また、第２本体１７には、携帯電話機１４を折り畳んだ際の外面側に、第１ディスプレイ２２と同様に文字や画像を表示する第２ディスプレイ２３と、光を放射する発光素子２と、被写体で反射した光（発光素子２の光や太陽光等の光）を集光する光学系２４とが設けられている。
【００２７】
発光素子駆動装置１は、上記した発光素子２の他に、発光素子２を駆動する駆動手段３と、蓄電可能な第１及び第２蓄電素子４，５と、駆動手段３及び各蓄電素子４，５に電力を供給可能な電池電源６とを備える。また、発光素子駆動装置１は、光学系２４で集光した光を受光する撮像素子２５（図示していない）を有して撮像可能なカメラ部７と、駆動手段３をはじめ、装置全体を制御する制御部（ＣＰＵ）８とを備える。
【００２８】
さらに、発光素子駆動装置１は、発光素子２に流れる電流の電流値を設定した所定値にする定電流回路部２６を備える。そして、発光素子駆動装置１は、必要に応じてダイオード２７，２７が設けられている。なお、電池電源６は、カメラ部７や制御部８にも電力を供給している。
【００２９】
本実施形態において、発光素子２は、（白色）ＬＥＤとし、駆動手段３は、インバータ（ＮＯＴゲート）２８及び第１〜第４スイッチ部（ＣＭＯＳ）２９〜３２を備えている。また、各蓄電素子４，５は、電気二重層コンデンサとし、電池電源６は、Ｌｉイオン二次電池としている。さらに、光学系２４は、オートフォーカス機構を備え、撮像素子２５に対して変位可能な対物レンズとし、撮像素子２５は、ＣＭＯＳイメージセンサ又はＣＣＤイメージセンサとしている。
【００３０】
駆動手段３は、電池電源６から供給される電力を各蓄電素子４，５に蓄電させる蓄電状態と、各蓄電素子４，５が蓄電した電力を放電させる放電状態とに切り替え可能に構成される。そして、駆動手段３は、蓄電状態の際に、電池電源６に対して各蓄電素子４，５と発光素子２とをそれぞれ並列接続させる。
【００３１】
また、駆動手段３は、放電状態の際に、電池電源６と第１蓄電素子４と発光素子２とを直列接続させ（電池電源６に対して第１蓄電素子４と発光素子２とを直列接続させ）、第１蓄電素子４が蓄電した電力を発光素子２に供給させる一方、第２蓄電素子５が蓄電した電力をカメラ部７及び制御部８に供給させる。
【００３２】
本実施形態に係る発光素子駆動装置１及び携帯電話機１４の構成については以上の通りであり、次に、本実施形態に係る発光素子駆動装置１の動作について図３及び図４を参酌して説明する。
【００３３】
まず、図３に示すように、蓄電状態においては、制御部８がＬ信号を出力すると、第１〜第３ＣＭＯＳ２９〜３１のゲートの入力にＬ信号が印加されるため、第１〜第３ＣＭＯＳ２９〜３１がＯＦＦ（開）となる一方、インバータ２８の入力にＬ信号が印加されることで、第４ＣＭＯＳ３２のゲートの入力にＨ信号が印加されるため、第４ＣＭＯＳ３２がＯＮ（閉）となる。
【００３４】
これにより、電池電源６から、昇圧部９、第１蓄電素子４、第４ＣＭＯＳ３２及び第２蓄電素子５の閉ループ（図３において太実線で示す）に電流ｉ１が流れるため、各蓄電素子４，５が電池電源６から供給される電力を蓄電する。このとき、電池電源６に対して各蓄電素子４，５と発光素子２とがそれぞれ並列接続しており、発光素子２にも電圧が印加されるが、第３ＣＭＯＳ３１がＯＦＦ（開）であるため、発光素子２は発光しない。
【００３５】
また、図４に示すように、放電状態においては、回路を動作させるために制御部８がＨ信号を出力すると、第１〜第３ＣＭＯＳ２９〜３１のゲートの入力にＨ信号が印加されるため、第１〜第３ＣＭＯＳ２９〜３１がＯＮ（閉）となる一方、インバータ２８の入力にＨ信号が印加されることで、第４ＣＭＯＳ３２のゲートの入力にＬ信号が印加されるため、第４ＣＭＯＳ３２がＯＦＦ（開）となる。
【００３６】
これにより、まず、電池電源６から、第１ＣＭＯＳ２９、第１蓄電素子４、定電流回路部２６、発光素子２及び第３ＣＭＯＳ３１の閉ループ（図４において太実線で示す）に電流ｉ２が流れるため、電池電源６と第１蓄電素子４とが発光素子２に電力を供給する。このとき、電池電源６の供給する電力の電圧値と、第１蓄電素子４の放電する電力の電圧値との加算された電圧値が、発光素子２が発光する電力の電圧値より大きくなっている。
【００３７】
したがって、発光するのに十分な電圧が発光素子２に印加されることになるため、定電流回路部２６で所定の電流値に設定された電流が発光素子２に流れ、発光素子２が発光する。なお、発光素子２は、電池電源６と第１蓄電素子４との加算電圧値が発光素子２を発光させる電圧値よりも小さくなるか、制御部８からＬ信号が出力されて、発電素子２に流れる電流ｉ２が遮断されるまで、発光し続ける。
【００３８】
その一方、第２蓄電素子５から、第２ＣＭＯＳ３０、ダイオード２７及び制御部８（並びにカメラ部７）の閉ループ（図４において太実線で示す）に電流ｉ３が流れるため、第２蓄電素子５が制御部８及びカメラ部７に電力を供給する。このとき、電池電源６からも制御部８及びカメラ部７に電力を供給しているため、第２蓄電素子５が制御部８やカメラ部７のバックアップ電源として機能することになる。
【００３９】
以上より、本実施形態に係る発光素子駆動装置１及び携帯機器１４によれば、放電状態において、駆動手段３が電池電源６と第１蓄電素子４と発光素子２とを直列接続させることで、第１蓄電素子４が蓄電した電力を発光素子２に供給する。これにより、電池電源６と第１蓄電素子４との発光素子２に供給できる電力の加算電圧値が発光素子２を発光させるための電圧値よりも大きくなるように設定することで、第１蓄電素子４のみの放電により発光素子２を発光させることができる。
【００４０】
したがって、発光素子２を再び発光させるには、各蓄電素子４，５の消費した電力のみ蓄電すればよい。具体的には、第２蓄電素子５に電力の消費が無かった場合、第１蓄電素子４が消費した電力のみ、即ち、一つの蓄電素子４が消費した電力のみ蓄電すればよいため、発光素子２が発光できない時間を短縮することができる。
【００４１】
また、本実施形態に係る発光素子駆動装置１及び携帯機器１４によれば、放電状態において、第２蓄電素子５が電池電源６、第１蓄電素子４及び発光素子２から開放され、第２蓄電素子５が蓄電した電力を制御部７及びカメラ部８に供給させている。これにより、第２蓄電素子５が制御部７及びカメラ部８のバックアップ電源として機能するため、電池電源６が放電状態の際に不測のトラブル（例えば瞬時の電圧低下）を発生させたとしても、制御部７及びカメラ部８が安定して作動できる。
【００４２】
次に、本発明に係る発光素子駆動装置における第２の実施形態について、図５〜図８を参酌して説明する。なお、図５〜図８において、図１〜図４の符号と同一の符号を付した部分は、特に説明がない限り、第１実施形態と同一の構成又は要素を表す。
【００４３】
図５に示すように、本実施形態に係る発光素子駆動装置１は、第１実施形態に係る発光素子駆動装置１に対して、駆動手段３の構成が相違する。本実施形態において、駆動手段３は、第１及び第２インバータ（ＮＯＴゲート）３３，３４と、第１及び第２ＡＮＤゲート３５，３６と、第１〜第６スイッチ部（ＣＭＯＳ）３７〜４２とを備えている。
【００４４】
駆動手段３は、電池電源６から供給される電力を各蓄電素子４，５に蓄電させる蓄電状態と、オートフォーカス用の補助光として発光素子２を発光させるべく、第１蓄電素子４が蓄電した電力を放電させる第１放電状態と、撮像用のフラッシュ光として発光素子２を発光させるべく、第２蓄電素子５が蓄電した電力を放電させる第２放電状態とに切り替え可能に構成される。なお、駆動手段３は、蓄電状態の際に、電池電源６に対して各蓄電素子４，５と発光素子２とをそれぞれ並列接続させている。
【００４５】
また、駆動手段３は、第１放電状態の際に、電池電源６と第１蓄電素子４と発光素子２とを直列接続させることで、第１蓄電素子４が蓄電した電力を発光素子２に供給させている。さらに、駆動手段３は、第２放電状態の際に、電池電源６と第２蓄電素子５と発光素子２とを直列接続させることで、第２蓄電素子５が蓄電した電力を発光素子２に供給させている。
【００４６】
本実施形態に係る発光素子駆動装置１の構成については以上の通りであり、次に、本実施形態に係る発光素子駆動装置１の動作について図６〜図８を参酌して説明する。
【００４７】
まず、図６に示すように、蓄電状態においては、制御部８が第１の信号としてＬ信号を出力すると、第１ＣＭＯＳ３７のゲートの入力にＬ信号が印加されるため、第１ＣＭＯＳ３７がＯＦＦ（開）となる一方、第２インバータ３４の入力にＬ信号が印加されることで、第２及び第３ＣＭＯＳ３８，３９のゲートの入力にＨ信号が印加されるため、第２及び第３ＣＭＯＳ３８，３９がＯＮ（閉）となる。
【００４８】
また、第１及び第２ＡＮＤゲート３５，３６の第１の入力にそれぞれＬ信号が印加されるため、第２の入力（制御部８が出力する第２の信号）に関係なく、第１及び第２ＡＮＤゲート３５，３６は、Ｌ信号を出力する。これにより、第４〜６ＣＭＯＳ４０〜４２のゲートの入力にＬ信号が印加されるため、第４〜６ＣＭＯＳ４０〜４２がＯＦＦ（開）となる。
【００４９】
したがって、電池電源６から、昇圧部９、第２蓄電素子５、第２ＣＭＯＳ３８、第１蓄電素子４及び第３ＣＭＯＳ３９の閉ループ（図６において太実線で示す）に電流ｉ１が流れるため、各蓄電素子４，５が電池電源６から供給される電力を蓄電する。このとき、電池電源６に対して各蓄電素子４，５と発光素子２とがそれぞれ並列接続しており、発光素子２にも電圧が印加されるが、第１ＣＭＯＳ３７がＯＦＦ（開）であるため、発光素子２は発光しない。
【００５０】
次に、図７に示すように、オートフォーカス用の補助光として発光素子２を発光させる第１放電状態においては、制御部８が第１の信号としてＨ信号を出力すると、第１ＣＭＯＳ３７のゲートの入力にＨ信号が印加されるため、第１ＣＭＯＳ３７がＯＮ（閉）となる一方、第２インバータ３４の入力にＨ信号が印加されることで、第２及び第３ＣＭＯＳ３８，３９のゲートの入力にＬ信号が印加されるため、第２及び第３ＣＭＯＳ３８，３９がＯＦＦ（開）となる。
【００５１】
また、制御部８が第２の信号としてＨ信号を出力すると、第１ＡＮＤゲート３５は、第１及び第２の入力にそれぞれＨ信号が印加されるため、Ｈ信号を出力する。これにより、第４及び第５ＣＭＯＳ４０，４１のゲートの入力にＨ信号が印加されるため、第４及び第５ＣＭＯＳ４０，４１がＯＮ（閉）となる。
【００５２】
さらに、第２ＡＮＤゲート３６は、第１の入力にＨ信号が印加される一方、第１インバータ３３の入力にＨ信号が印加されることで、第２の入力にＬ信号が印加されるため、Ｌ信号を出力する。これにより、第６ＣＭＯＳ４２のゲートの入力にＬ信号が印加されるため、第６ＣＭＯＳ４２がＯＦＦ（開）となる。
【００５３】
したがって、電池電源６から、第４ＣＭＯＳ４０、第１蓄電素子４、第５ＣＭＯＳ４１、定電流回路部２６、発光素子２及び第１ＣＭＯＳ３７の閉ループ（図７において太実線で示す）に電流ｉ２が流れるため、電池電源６と第１蓄電素子４とが発光素子２に電力を供給する。よって、定電流回路部２６で所定の電流値に設定された電流が発光素子２に流れ、発光素子２が発光する。
【００５４】
さらに、図８に示すように、撮像用のフラッシュ光として発光素子２を発光させる第２放電状態においては、制御部８が第１の信号としてＨ信号を出力すると、第１ＣＭＯＳ３７のゲートの入力にＨ信号が印加されるため、第１ＣＭＯＳ３７がＯＮ（閉）となる一方、第２インバータ３４の入力にＨ信号が印加されることで、第２及び第３ＣＭＯＳ３８，３９のゲートの入力にＬ信号が印加されるため、第２及び第３ＣＭＯＳ３８，３９がＯＦＦ（開）となる。
【００５５】
また、制御部８が第２の信号としてＬ信号を出力すると、第１ＡＮＤゲート３５は、第１の入力にＨ信号が印加される一方、第２の入力にＬ信号が印加されるため、Ｌ信号を出力する。これにより、第４及び第５ＣＭＯＳ４０，４１のゲートの入力にＬ信号が印加されるため、第４及び第５ＣＭＯＳ４０，４１がＯＦＦ（開）となる。
【００５６】
さらに、第２ＡＮＤゲート３６は、第１の入力にＨ信号が印加される一方、第１インバータ３３の入力にＬ信号が印加されることで、第２の入力にもＨ信号が印加されるため、Ｈ信号を出力する。これにより、第６ＣＭＯＳ４２のゲートの入力にＨ信号が印加されるため、第６ＣＭＯＳ４２がＯＮ（閉）となる。
【００５７】
したがって、電池電源６から、第６ＣＭＯＳ４２、第２蓄電素子５、定電流回路部２６、発光素子２及び第１ＣＭＯＳ３７の閉ループ（図８において太実線で示す）に電流ｉ３が流れるため、電池電源６と第２蓄電素子５とが発光素子２に電力を供給する。よって、定電流回路部２６で所定の電流値に設定された電流が発光素子２に流れ、発光素子２が発光する。
【００５８】
以上より、本実施形態に係る発光素子駆動装置１及び携帯機器１４によれば、第１放電状態では、第１蓄電素子４の放電により、発光素子２を発光させることができる一方、第１蓄電素子４を蓄電することなく、第２放電状態に切り替えることで、第２蓄電素子５の放電により、発光素子２を発光させることができる。したがって、発光素子２を連続的に発光させることができるため、発光素子２が発光できない時間を短縮することができる。
【００５９】
また、本実施形態に係る発光素子駆動装置１及び携帯機器１４によれば、駆動手段３が第１放電状態に切り替えることで、オートフォーカス用の補助光として発光素子２を発光させることができ、その後、特に第１蓄電素子４を蓄電することなく、駆動手段３が第２放電状態に切り替えることで、撮像用のフラッシュ光として発光素子２を発光させることができる。
【００６０】
これにより、従来の携帯機器においては、二つの蓄電素子４，５が放電することで、オートフォーカスの補助光として発光素子２を発光させた後、二つの蓄電素子４，５を再度蓄電させてから放電することで、撮像用のフラッシュ光として発光素子２を発光させる必要があったのに対して、本実施形態に係る発光素子駆動装置１及び携帯機器１４によればオートフォーカスから撮像まで連続的な操作とすることができる。
【００６１】
なお、本発明に係る発光素子駆動装置及び携帯機器は、上記した実施の形態に限定されるものではなく、本発明の要旨を逸脱しない範囲内において種々変更を加え得ることは勿論である。また、上記した複数の実施形態の構成や方法等を任意に採用して組み合わせてもよく、１つの実施形態に係る構成や方法等を他の実施形態に係る構成や方法等に適用してもよいことは勿論である。
【産業上の利用可能性】
【００６２】
本発明に係る発光素子駆動装置及び携帯機器は、発光素子を発光できない時間を短縮することが必要な発光素子駆動装置及び携帯電話機といった携帯機器の用途に適用できる。
【符号の説明】
【００６３】
１  発光素子駆動装置
２  発光素子
３  駆動手段
４  第１蓄電素子
５  第２蓄電素子
６  電池電源
８  制御部
１４  携帯機器（携帯電話機）
２４  光学系
２５  撮像素子
【図１】
0005573203.tif 000002
【図２】
0005573203.tif 000003
【図３】
0005573203.tif 000004
【図４】
0005573203.tif 000005
【図５】
0005573203.tif 000006
【図６】
0005573203.tif 000007
【図７】
0005573203.tif 000008
【図８】
0005573203.tif 000009
【図９】
0005573203.tif 000010